【手続補正書】
【提出日】平成20年11月14日(2008.11.14)
【手続補正１】
【補正対象書類名】特許請求の範囲
【補正対象項目名】全文
【補正方法】変更
【補正の内容】
【特許請求の範囲】
【請求項１】
植物育成空間の光条件を調整するための光透過材料であって、
低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が０．９以下である着色ガラス材料よりなることを特徴とする植物成長促進用光透過材料。
【請求項２】
光吸収材が、コバルト、チタン、鉄、ニッケル、マンガンおよびバナジウムよりなる群から選ばれた遷移金属のイオンであることを特徴とする請求項１に記載の植物成長促進用光透過材料。
【請求項３】
基材がホウ酸塩系ガラスおよびホウケイ酸塩系ガラスのいずれか一方であることを特徴とする請求項１または請求項２に記載の植物成長促進用光透過材料。
【請求項４】
基材を構成するホウケイ酸塩系ガラスが二酸化ケイ素を５０ｍｏｌ％以上の割合で含有するものであることを特徴とする請求項３に記載の植物成長促進用光透過材料。
【請求項５】
強化ガラスよりなるガラス基板上に、請求項１〜請求項４のいずれかに記載の植物成長促進用光透過材料を構成する着色ガラス材料よりなる植物成長促進層が一体的に積層されたガラス積層体からなることを特徴とする積層型植物成長促進用透光性材料。
【請求項６】
低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が０．９以下であることを特徴とする着色ガラス材料。
【請求項７】
強化ガラスよりなるガラス基板上に、低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が０．９以下である着色ガラス材料よりなる層が一体的に積層されてなることを特徴とするガラス積層体。
【請求項８】
植物育成空間の光条件を調整するための光透過材料であって、
低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が１．３以上である着色ガラス材料よりなることを特徴とする植物成長抑制用光透過材料。
【請求項９】
光吸収材が、チタン、銅、鉄、クロム、マンガンおよびバナジウムよりなる群から選ばれた遷移金属のイオンであることを特徴とする請求項８に記載の植物成長抑制用光透過材料。
【請求項１０】
光吸収材として鉄イオンが用いられ、この鉄イオンと共に還元剤がドープされていることを特徴とする請求項９に記載の植物成長抑制用光透過材料。
【請求項１１】
基材がホウ酸塩系ガラスおよびホウケイ酸塩系ガラスのいずれか一方であることを特徴とする請求項８〜請求項１０のいずれかに記載の植物成長抑制用光透過材料。
【請求項１２】
基材を構成するホウケイ酸塩系ガラスが二酸化ケイ素を５０ｍｏｌ％以上の割合で含有するものであることを特徴とする請求項１１に記載の植物成長抑制用光透過材料。
【請求項１３】
強化ガラスよりなるガラス基板上に、請求項８〜請求項１２のいずれかに記載の植物成長抑制用光透過材料を構成する着色ガラス材料よりなる植物成長抑制層が一体的に積層されたガラス積層体からなることを特徴とする積層型植物成長抑制用透光性材料。
【請求項１４】
低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が１．３以上であることを特徴とする着色ガラス材料。
【請求項１５】
強化ガラスよりなるガラス基板上に、低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が１．３以上である着色ガラス材料よりなる層が一体的に積層されてなることを特徴とするガラス積層体。
【手続補正２】
【補正対象書類名】明細書
【補正対象項目名】発明の名称
【補正方法】変更
【補正の内容】
【発明の名称】植物成長制御用光透過材料および積層型植物成長制御用透光性材料
【手続補正３】
【補正対象書類名】明細書
【補正対象項目名】０００１
【補正方法】変更
【補正の内容】
【０００１】
本発明は、植物育成空間の光条件を調整するための植物成長促進用光透過材料および植物成長抑制用光透過材料、これらの光透過材料を構成する着色ガラス材料、並びに、積層型植物成長促進用透光性材料および積層型植物成長抑制用光透過材料、これらの透光性材料を構成するガラス積層体に関する。
【手続補正４】
【補正対象書類名】明細書
【補正対象項目名】０００８
【補正方法】変更
【補正の内容】
【０００８】
本発明は、以上のような事情に基づいてなされたものであって、その目的は、植物の成長を促進する効果が得られる光条件の環境を形成することができると共に、優れた耐候性、耐紫外線性および機械的強度を有する植物成長促進用光透過材料、並びに、積層型植物成長促進用透光性材料を提供することにある。
本発明の他の目的は、植物の成長を抑制する効果が得られる光条件の環境を形成することができると共に、優れた耐候性、耐紫外線性および機械的強度を有する植物成長抑制用光透過材料、並びに、積層型植物成長抑制用透光性材料を提供することにある。
【手続補正５】
【補正対象書類名】明細書
【補正対象項目名】０００９
【補正方法】変更
【補正の内容】
【０００９】
本発明の植物成長促進用光透過材料は、植物育成空間の光条件を調整するための光透過材料であって、
低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が０．９以下である着色ガラス材料よりなることを特徴とする。
【手続補正６】
【補正対象書類名】明細書
【補正対象項目名】００１２
【補正方法】変更
【補正の内容】
【００１２】
本発明の積層型植物成長促進用透光性材料は、強化ガラスよりなるガラス基板上に、上記の植物成長促進用光透過材料を構成する着色ガラス材料よりなる植物成長促進層が一体的に積層されたガラス積層体からなることを特徴とする。
【手続補正７】
【補正対象書類名】明細書
【補正対象項目名】００１３
【補正方法】変更
【補正の内容】
【００１３】
本発明の着色ガラス材料は、低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が１．３以上であることを特徴とする。
【手続補正８】
【補正対象書類名】明細書
【補正対象項目名】００１４
【補正方法】変更
【補正の内容】
【００１４】
本発明のガラス積層体は、強化ガラスよりなるガラス基板上に、低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が１．３以上である着色ガラス材料よりなる層が一体的に積層されてなることを特徴とする。
【手続補正９】
【補正対象書類名】明細書
【補正対象項目名】００１５
【補正方法】変更
【補正の内容】
【００１５】
本発明の植物成長抑制用光透過材料は、植物育成空間の光条件を調整するための光透過材料であって、
低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が１．３以上である着色ガラス材料よりなることを特徴とする。
【手続補正１０】
【補正対象書類名】明細書
【補正対象項目名】００１８
【補正方法】変更
【補正の内容】
【００１８】
本発明の積層型植物成長抑制用透光性材料は、強化ガラスよりなるガラス基板上に、上記の植物成長抑制用光透過材料を構成する着色ガラス材料よりなる植物成長抑制層が一体的に積層されたガラス積層体からなることを特徴とする。
【手続補正１１】
【補正対象書類名】明細書
【補正対象項目名】００１９
【補正方法】変更
【補正の内容】
【００１９】
本発明の着色ガラス材料は、低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が１．３以上であることを特徴とする。
【手続補正１２】
【補正対象書類名】明細書
【補正対象項目名】００２０
【補正方法】変更
【補正の内容】
【００２０】
本発明のガラス積層体は、強化ガラスよりなるガラス基板上に、低融点ガラスよりなる基材中に遷移金属イオンよりなる光吸収材がドープされてなり、光合成有効光量子束透過率が５０％以上であり、かつ波長領域７００〜８００ｎｍの近赤外光の光量子束に対する波長領域６００〜７００ｎｍの赤色光の光量子束の比が１．３以上である着色ガラス材料よりなる層が一体的に積層されてなることを特徴とする。
【手続補正１３】
【補正対象書類名】明細書
【補正対象項目名】００２２
【補正方法】変更
【補正の内容】
【００２２】
本発明の積層型植物成長促進用透光性材料は、強化ガラスよりなるガラス基板上に上記の植物成長促進用光透過材料を構成する着色ガラス材料よりなる植物成長促進層が一体的に積層されてなるガラス積層体からなるものであることから、植物成長促進層を構成する植物成長促進用光透過材料の有する特性により、植物成長促進効果が得られる光条件の環境を形成することができると共に、優れた耐候性、耐紫外線性および機械的強度が得られる。
【手続補正１４】
【補正対象書類名】明細書
【補正対象項目名】００２３
【補正方法】削除
【補正の内容】
【手続補正１５】
【補正対象書類名】明細書
【補正対象項目名】００２５
【補正方法】変更
【補正の内容】
【００２５】
本発明の積層型植物成長抑制用透光性材料は、強化ガラスよりなるガラス基板上に上記の植物成長抑制用光透過材料を構成する着色ガラス材料よりなる植物成長抑制層が一体的に積層されてなるガラス積層体からなるものであることから、植物成長抑制層を構成する植物成長抑制用光透過材料の有する特性により、植物成長抑制効果が得られる光条件の環境を形成することができると共に、優れた耐候性、耐紫外線性および機械的強度が得られる。
【手続補正１６】
【補正対象書類名】明細書
【補正対象項目名】００２６
【補正方法】削除
【補正の内容】